(57)【要約】      （修正有）【課題】コンサートや演劇等の鑑賞用に適した組立て集音具を提供する。【解決手段】中央部が頭上に掛止され、両側部が左右の耳介の裏側に及ぶ略逆Ｕ字型の掛止基体１と、該掛止基体の両側部の下端に取り付けられる集音板２とを備えており、上記掛止基体の両側部の下端には嵌合突起を形成し、上記集音板は円形状のシートからなり、該シートは中心から円周の一箇所に向かって切断部２ａが形成されており、かつ切断部両側の円周部には同じ半径の位置に嵌合孔２ｂを形成し、該嵌合孔を重ねた状態で集音板を略パラボラアンテナ形状に形成しており、該集音板の嵌合孔を上記掛止基体の両側部の嵌合突起に着脱自在に嵌入してとりつけ、音楽等鑑賞用の組立て集音具を構成する。【選択図】図４
0003150093.tif 000002
【実用新案登録請求の範囲】
【請求項１】
中央部が頭上に掛止され、両側部が左右の耳介の裏側に及ぶ略逆Ｕ字型の掛止基体と、該掛止基体の両側部の下端に取り付けられる集音板とを備えており、上記掛止基体の両側部の下端には嵌合突起を形成し、上記集音板は円形状のシートからなり、該シートは中心から円周の一箇所に向かって切断部が形成されており、かつ切断部両側の円周部には同じ半径の位置に嵌合孔を形成し、該嵌合孔を重ねた状態で集音板を略パラボラアンテナ形状に形成しており、該集音板の嵌合孔を上記掛止基体の両側部の嵌合突起に着脱自在に嵌入してとりつけることを特徴とする音楽等鑑賞用の組立て集音具。
【請求項２】
耳介に嵌合掛止される掛止基体と、該掛止基体にとりつけられる集音板とを備えており、上記掛止基体に嵌合突起を形成し、上記集音板は円形状のシートからなり、該シートは中心から円周の一箇所に向かって切断部が形成されており、かつ切断部両側の円周部には同じ半径の位置に嵌合孔を形成し、該嵌合孔を重ねた状態で集音板を略パラボラアンテナ形状に形成しており、該集音板の嵌合孔を上記掛止基体の嵌合突起に着脱自在に嵌入してとりつけることを特徴とする音楽等鑑賞用の組立て集音具。
【考案の詳細な説明】
【技術分野】
【０００１】本考案はコンサート会場や劇場等において使用される鑑賞用の組立て集音具に関する。
【背景技術】
【０００２】従来コンサート会場や劇場等で沢山の人が集まって音楽や演劇を鑑賞する所では、それなりの音響装置が備えられており、それなりの音響効果や感度が出るように設計されているのが一般的である。
【考案の開示】
【考案が解決しようとする課題】
【０００３】ところが上記の会場に設置されている音響装置であっても、ややもすれば会場の後部座席や、端部座席に位置している人には音波の屈折や干渉、反射等によって十分に音声が伝わらないか、あるいはやや難聴の人や、耳介の扁平な形の人には音声が十分に伝わらないという問題点があった。
【課題を解決するための手段】
【０００４】本考案は上記の問題点を解決したもので、次の特徴を備えている。
その一つの特徴は「中央部が頭上に掛止され、両側部が左右の耳介の裏側に及ぶ略逆Ｕ字型の掛止基体と、該掛止基体の両側部の下端に取り付けられる集音板とを備えており、上記掛止基体の両側部の下端には嵌合突起を形成し、上記集音板は円形状のシートからなり、該シートは中心から円周の一箇所に向かって切断部が形成されており、かつ切断部両側の円周部には同じ半径の位置に嵌合孔を形成し、該嵌合孔を重ねた状態で集音板を略パラボラアンテナ形状に形成しており、該集音板の嵌合孔を上記掛止基体の両側部の嵌合突起に着脱自在に嵌入してとりつけることを特徴とする音楽等鑑賞用の組立て集音具」である。
その二つの特徴は「耳介に嵌合掛止される掛止基体と、該掛止基体にとりつけられる集音板とを備えており、上記掛止基体に嵌合突起を形成し、上記集音板は円形状のシートからなり、該シートは中心から円周の一箇所に向かって切断部が形成されており、かつ切断部両側の円周部には同じ半径の位置に嵌合孔を形成し、該嵌合孔を重ねた状態で集音板を略パラボラアンテナ形状に形成しており、該集音板の嵌合孔を上記掛止基体の嵌合突起に着脱自在に嵌入してとりつけることを特徴とする音楽等鑑賞用の組立て集音具」である。
【考案の効果】
【０００５】本考案による鑑賞用の組立て集音具は次の効果を奏する。
その一つは、掛止基体と、円形状のシートからなる集音板の部材でなっており、平たい収納袋で収納でき、よって観客に会場で貸与する場合、それの保管に場所をとらずに、持ち運びも便利である。【０００６】その二つは、集音板は円形状のシートからなり、該シートは中心から円周の一箇所に向かって切断部を形成し、かつ切断部の両側の円周部には、同じ半径の位置に嵌合孔を形成し、この嵌合孔を重ねた状態で集音板を略パラボラアンテナ形状に形成しており、この嵌合孔を掛止基体の嵌合突起に嵌入することにより集音板が取り付けられる。よって組立てが簡単である。【０００７】その三つは、集音板は略パラボラアンテナ形状であるので、かつそれが耳介の裏側に当てられるので、集音板が受ける音波を耳介、外耳を伝って鼓膜に伝播し、音声として捉えることができる。
【考案を実施するための最良の形態】
【０００８】本考案の実施形態について以下に図面を用いて説明する。
図１は掛止基体の斜視図である。掛止基体１は合成樹脂製、アルミ製であり、弾性があり、図５に示すように拡開されて中央部が頭上に掛止され、両側部が耳介の後部に掛止される。掛止基体の両側下端には嵌合突起１ａ、１ａが一体に形成されている。【０００９】図２は集音板の組立て前の正面図である。集音板２は所定の厚みをもった円形状のシートである。合成樹脂製、紙製等である。該シートは中心から円周の一箇所向かって切断部２ａを形成し、かつ切断部両側の円周部には同じ半径の位置に嵌合孔２ｂ、２ｂを形成している。なお円形状のシートは重ね合わせ箇所のところを円弧でなく、点線で示すように弦にして直線状にしてもよい。
図３は上記２個の嵌合孔を重ねた状態の集音板を示し、Ａは正面図、Ｂは平面図である。略パラボラアンテナ形状に形成される。【００１０】図４は図３の集音板を掛止基体に取り付けた本考案の集音具の正面図である。掛止基体の嵌合突起に集音板の嵌合孔を嵌入して取り付けている。嵌入固定は嵌合孔に嵌合突起を圧入してもよく、あるいはフック状の嵌入でもよい。要は着脱可能である。【００１１】図５は図４に示す集音具を頭上に掛止している状態を示す。掛止基体の中央部が頭上に掛止されており、両側の下端が耳介の裏側に位置し、集音板が耳介の裏側に位置している。よって音声は集音板に反射して耳介、外耳を伝って鼓膜に至る。【００１２】図６は本考案集音具の他の実施例を示す。Ａは側面図、Ｂは正面図である。
この集音具は耳介に掛止基体を嵌合掛止するものである。３は掛止基体で、耳介に掛止するように鉤状に湾曲している。掛止基体の形状は耳介に掛止できればよく、他の形状でもよい。３ａは嵌合突起、４は集音板で、上記実施例と同様の構成であり、嵌合孔（不図示）を嵌合突起に嵌入固定する。この集音具を左右の、あるいは一方の耳介に掛止する。
本考案は上記実施例に制限されるものでなく、本考案の技術思想を逸脱しない限りの設計変更は可能である。たとえば嵌合孔を同じ半径の位置に複数形成し、重ねる位置を変えればパラボラアンテナの深さを変えることができる。
【図面の簡単な説明】
【００１３】
【図１】本考案集音具の掛止基体の一実施例を示す斜視図。
【図２】同じく集音板の組立て前の正面図。
【図３】図２に示す集音板の嵌合孔を重ねた状態を示し、Ａは正面図、Ｂは平面図。
【図４】同じく集音具の正面図。
【図５】同じく集音具の使用状態の図。
【図６】図６は本考案集音具の他の実施例を示し、Ａは側面図、Ｂは正面図である。
【符号の説明】
【００１４】１    掛止基体
１ａ  嵌合突起
２    集音板
２ａ  切断部
２ｂ  嵌合孔
３    掛止基体
３ａ  嵌合突起
４    集音板
【図１】
0003150093.tif 000003
【図２】
0003150093.tif 000004
【図３】
0003150093.tif 000005
【図４】
0003150093.tif 000006
【図５】
0003150093.tif 000007
【図６】
0003150093.tif 000008